(57)【要約】      （修正有）【課題】切り口が斜めになり、トイレットペーパーがロール本体に密着しないので衛生的でかつ容易にトイレットペーパーを使用できるトイレットペーパーホルダーを提供する。【解決手段】ペーパーカッターアーム付きトイレットペーパーホルダーであって、本体の左右の側面に差し込みレール７を設け、刃１０を有するペーパーカッターアーム６をホルダー本体の前側に、幅方向一端側から他端側に向かって前方に傾斜して差し込む。ペーパーカッターアームは、トイレットペーパーホルダー本体の取り付け場所の、左右を選択して取り付けることができる。【選択図】図３
0003218488.tif 000002
【実用新案登録請求の範囲】
【請求項１】
トイレットペーパーホルダーであって、ホルダー本体と、このホルダー本体に設けられたペーパーカッターと、を備え、前記ペーパーカッターは、前記ホルダー本体への取り付け部と、この取り付け部に設けられたペーパーカッターアームと、を有し、前記ペーパーカッターアームは、前記ホルダー本体の前側に位置し、ホルダー本体の幅方向一端側から幅方向他端側に向かって前方に傾斜して延びている、トイレットペーパーホルダー。
【請求項２】
前記ペーパーカッターの前記取り付け部は、前記ホルダー本体の幅方向両側のいずれにも取り付けられるように構成されている、請求項１のトイレットペーパーホルダー。
【請求項３】
前記ペーパーカッターは  くの字状又はへの字状に一体的に形成されている、請求項１又は２のトイレットペーパーホルダー。
【請求項４】
ホルダー本体の側面にレールが設けられ、このレールに取り付け部を差し込むことでペーパーカッターをホルダー本体に取り付けることができるように構成されている請求項１，２，又は３のトイレットペーパーホルダー。
【請求項５】
前記レールは後方から前方に向かって上側に傾斜して延びている請求項４のトイレットペーパーホルダー。
【考案の詳細な説明】
【技術分野】
【０００１】
本考案は、ペーパーカッターアーム付きトイレットペーパーホルダーに関し、例えば、
トイレットペーパーホルダー本体の左右の側面に、刃を有するぺーパーカッターの取り付け部を差し込むレールが取り付けられているペーパーカッターアーム付きトイレットペーパーホルダー。
【背景技術】
【０００２】
毎日何度となく使用するトイレットペーパーは、例えば特許文献1に記載されているトイレットペーパーホルダーに取り付けられて使用されているが、老若男女を問わず取り出しにくいとか、前に使用した人が触れたトイレットペーパーは不衛生であるという不満を持っている人が多い。特に、目の不自由な方や手足の不自由な方はトイレットペーパーの切り面が、トイレットペーパーロール本体に密着しているとなおのこと不自由である。
【先行技術文献】
【特許文献】
【０００３】
【特許文献１】特開2018-61811号
【考案の開示】
【考案が解決しようとする課題】
【０００４】
現在様々なトイレットペーパーホルダーが販売されているが、トイレットペーパーを使用する分切り取った後、トイレットペーパーの切り口がトイレットペーパーロール本体に密着し、切り口が取り辛く、無理に取ろうとすると千切れ苦労することが多い。また前に使用した人が、トイレットペーパーの切り口を三角に折り曲げている場合は不衛生である。本考案はこのような不便さを解決するトイレットペーパーホルダーである。
【課題を解決するための手段】
【０００５】
この問題を解決するためのペーパーカッターアーム付きトイレットペーパーホルダーは、ホルダー本体と、このホルダー本体に設けられたペーパーカッターと、を備え、前記ペーパーカッターは、前記ホルダー本体への取り付け部と、この取り付け部に設けられたペーパーカッターアームと、を有し、前記ペーパーカッターアームは、前記ホルダー本体の前側に位置し、ホルダー本体の幅方向一端側から幅方向他端側に向かって前方に傾斜して延びているものである。ペーパーカッターの前記取り付け部は前記ホルダー本体の幅方向両側のいずれにも取り付けられるように構成されているものとすることができる。ペーパーカッターはくの字状又はへの字状に一体的に形成することができる。より具体的にはトイレットペーパーホルダー本体の左右側面にそれぞれ一本のレールが設けられており、任意に選択したレールにペーパーカッターの取り付け部を差し込むことで、差し込み側を替えることができる。
【考案の効果】
【０００６】
ペーパーカッターアームの開放された下方から手を入れ、トイレットペーパーをアームの内側から刃の上に乗せて、ゆっくりアームのカーブ又は傾斜の方へ滑らすように引き切るのでトイレットペーパーの切り口が斜めになり、トイレットペーパーがトイレットペーパーロール本体に密着しないので次に使用する人に衛生的でかつ容易にトイレットペーパーを使用できる。
【図面の簡単な説明】
【０００７】
【図１】ペーパーカッターアーム付きトイレットペーパーホルダーを正面から見た図
【図２】ペーパーカッターアーム付きトイレットペーパーホルダーを側面から見た図
【図３】ペーパーカッターアーム付きトイレットペーパーホルダーを押えを上げて正面から見た図
【図４】トイレットペーパーホルダー本体以外を分解した図
【図５】アームの刃の上にトイレットペーパーをのせている図
【図６】トイレットペーパーを実際に切った後のトイレットペーパーの状態図
【図７】ペーパーカッターアーム付きトイレットペーパーホルダーにトイレットペーパーを取り付けている図
【図８】ペーパーカッターアーム付きトイレットペーパーホルダーのアームの左右を入れ替えている図
【図９】ペーパーカッターアーム付きトイレットペーパーホルダーからトイレットペーパーを取り外している図
【図１０】差し込みレールを傾斜させた図
【考案を実施するための形態】
【０００８】
本考案はトイレットペーパーロール11を使用し易くしたものである。そのため、トイレットペーパーホルダー本体2の左右の側面5に刃10を有するペーパーカッターアーム6の差し込みレール7が取り付けられている。この差し込みレール7はトイレットペーパーホルダー本体2の取り付け場所に応じてペーパーカッターアーム6の取り付け部（差し込み部）14を差し替えられる。差し替える時は、ペーパーカッターアーム6の曲り部9を持ち、引き抜いたり差し込んだりする。
【０００９】
ペーパーカッターアーム6の刃10は紙質なので安全である。実際にペーパーカッターアーム付きトイレットペーパーホルダー1を使用する時は、ペーパーカッターアーム6の下から手を入れてトイレットペーパーロール11の切り口12を持ち、ペーパーカッターアームのストッパー8の内側の刃10の上にのせ、ペーパーカッターアームの曲り部9の方へゆっくりと滑らすように引き切る。使用後トイレットペーパーロールの切り口12は刃10の上にのったまま、もしくは落ちてもトイレットペーパーロール11に密着することはない。トイレットペーパーロール11の交換は、トイレットペーパーロール11を持ち、トイレットペーパーホルダー本体2の保持部4を押し上げるようにして、トイレットペーパーロール11の筒の穴13にはめる。筒を取り外す時は、そのままトイレットペーパーホルダー本体2の押え3に向けて持ち上げる。なお、図10に示すように差し込みレール7を後方から前方に向かって上側に傾斜して延びるように構成してもよい。
【符号の説明】
【００１０】
１  ペーパーカッターアーム付きトイレットペーパーホルダー
２  トイレットペーパーホルダー本体
３  トイレットペーパーホルダー本体の押さえ
４  トイレットペーパーホルダー本体の保持部
５  トイレットペーパーホルダー本体の側面
６  ペーパーカッターアーム
７  ペーパーカッターアームの差し込みレール
８  ペーパーカッターアームのストッパー
９  ペーパーカッターアームの曲り部
１０  ペーパーカッターアームの刃
１１  トイレットペーパーロール
１２  トイレットペーパーロールの切り口
１３  トイレットペーパーロールの筒穴
１４  ペーパーカッターアームの取り付け部（差し込み部）
【図１】
0003218488.tif 000003
【図２】
0003218488.tif 000004
【図３】
0003218488.tif 000005
【図４】
0003218488.tif 000006
【図５】
0003218488.tif 000007
【図６】
0003218488.tif 000008
【図７】
0003218488.tif 000009
【図８】
0003218488.tif 000010
【図９】
0003218488.tif 000011
【図１０】
0003218488.tif 000012